(57)【特許請求の範囲】
【請求項１】
帳票載置台上の紙の載置位置を挟んで左右または前後に設けられた対をなすガイドレーンと、該対をなすガイドレーンの各々に２個ずつ可動に設けられ、前記紙の載置位置に載置される紙を抑える紙抑えブロックとを備え、
前記ガイドレーンは下方に突起した固定ガイドを有し、前記帳票載置台上で前後または左右で可動可能にしたことを特徴とする紙抑え装置。
【請求項２】
請求項１記載の紙抑え装置において、前記紙抑えブロックは、バネにより前記紙の隅方向への付勢力が与えられていることを特徴とする紙抑え装置。
【請求項３】
帳票載置台上の紙の載置位置を挟んで左右または前後に設けられた対をなすガイドレーンと、該対をなすガイドレーンの各々に２個ずつ可動に設けられ、前記紙の載置位置に載置される紙を抑える紙抑えブロックとを備え、前記紙抑えブロックの間に紐が掛け渡されていることを特徴とする紙抑え装置。
【発明の詳細な説明】
【０００１】
【発明の属する技術分野】
本発明は、光学読取装置における帳簿載置台上の帳票抑え用や、机上などにおける紙抑え用として用いる紙抑え装置に関する。
【０００２】
【従来の技術】
例えば、光学読取装置における帳簿載置台上において、帳簿が丸まっていたり、４つ折り等に折り曲げられたりして、帳票が浮いていると、帳票に記載の画像を読取った際に読取画像が歪んでしまう。
【０００３】
そのため、従来の紙抑えでは、文鎮などの様に、帳票の左右または前後どちらか一方を抑え、丸まったまたは折り曲げられた帳票を平らにし、帳票の片方を帳票に記載の画像を読取が完了するまで手等人為的処理によって抑えていた。
【０００４】
また、従来の紙抑えにおいては、特開２００１−２７７８６号公報にみられるように、樹脂シートまたはガラス板等の一枚板からなる透明部材で形成された帳票の浮き防止器具を用意し、帳票の上に乗せて帳票を平らにしていた。
【０００５】
【発明が解決しようとする課題】
しかしながら、従来の帳票抑えで、帳票の左右または前後どちらか一方を抑え、帳票の片方を手等人為的処理によって抑えるやり方は、帳票の記載内容を読取が完了するまでじっと抑えていなければならない煩わしさがあり且つ帳票自体の位置がずれてしまうおそれがある。
【０００６】
また、従来の帳票抑えで、一枚板からなる透明部材で形成された帳票の浮き防止器具を帳票の上に乗せるやり方は、透明部材が帳票の記載内容部分を覆うため、帳票の記載内容を読取る際に光の反射により画像などが白くなる課題がある。また透明部材を帳票に乗せたり外したりするので、帳票の記載内容部分にも指紋や埃等の付着や傷がつきやすく、この場合には認識が困難となる課題がある。
【０００７】
また、本発明は、光学読取装置に限らず、机上などにおける紙抑え用としての紙抑え装置にも適用することができる。。
【０００８】
本発明の目的は、紙の記載内容部分を覆わないで紙を抑え且つ紙のサイズや紙の浮き状態に応じて抑えの個所を移動可能な紙抑え装置を提供することにある。
【０００９】
【課題を解決するための手段】
本発明は、紙の載置位置を挟んで左右または前後に設けられた対をなすガイドレーンと、該対をなすガイドレーンの各々に２個ずつ可動に設けられ、前記紙の載置位置に載置される紙を抑える紙抑えブロックとを備えたことを特徴とする紙抑え装置である。
【００１０】
本発明において、前記紙抑えブロックは、バネにより前記紙の隅部分方向への付勢力が与えられていることを特徴とする紙抑え装置である。
【００１１】
本発明において、前記紙抑えブロックの間に紐が掛け渡されていることを特徴とする紙抑え装置である。
【００１２】
【発明の実施の形態】
添付図面を参照して本発明の実施の形態を説明する。
【００１３】
図１に本発明の実施の形態としての光学読取装置における帳票載置台の平面図、図２に図１の正面で光学読取装置の全体構成を示す図、図３に図２の帳票抑え装置の第１の実施の形態の拡大正面図、図４に図３の帳票抑えブロックの平面図を示す。
【００１４】
図２に示すように、光学読取装置１０は、Ａ４サイズの帳票２０を載置する帳票載置台１１と、帳票載置台１１の左側部に取付けられた台座１２に下端が固定された支柱１３と、支柱１３の上端に固定されたスキャナヘッド１４からなり、スキャナヘッド１４に内蔵のカメラで、照明の光を利用して、帳票載置台１１に載置される帳票２０の記載内容を読取る。
【００１５】
この帳票載置台１１には、図１に示すように、Ａ４サイズの帳票２０の載置位置を挟んで左右に設けられた対をなすガイドレーン３０，３０と、対をなすガイドレーン３０，３０の各々に２個ずつ設けられ、ガイドレーン上を移動可能で且つ帳票２０の隅（記載内容の外側の余白部分）を抑える帳票抑えブロック４０，４０とを備えている。
【００１６】
帳票載置台１１には、帳票２０の載置位置を決めるための帳票位置決めガイド１５，１５が、Ａ４サイズの帳票２０の載置位置の左側および後側に設けられ、したがってＡ４サイズの帳票２０を帳票位置決めガイド１５，１５に当てることにより、Ａ４サイズの帳票２０が位置決めされる。なお、Ａ５サイズの帳票２０ａの場合にも、Ａ５サイズの帳票２０ａを帳票位置決めガイド１５，１５に当てることにより、Ａ５サイズの帳票２０ａが位置決めされる。
【００１７】
なお、図１において、符号１６は図２における台座１２の設置個所を示す。
【００１８】
図２の帳票載置台１１の右側に図示されたガイドレーン３０と帳票抑えブロック４０からなる帳票抑え装置の拡大正面図が図３であり、図３の帳票抑えブロックの平面図が図４である。
【００１９】
ガイドレーン３０に設けた溝３１に、帳票抑えブロック４０のガイド４１が挿入され、帳票抑えブロック４０は、図１に示すガイドレーン３０，３０に沿って、Ａ４サイズの帳票２０の左右を前後方向に移動できる。
【００２０】
図３，図４に示すように、帳票抑えブロック４０のガイド４１は、帳票抑えブロック４０の軸４２の両端に固定されたガイド４１，４１からなり、ガイド４１，４１の内側で軸４２に回動可能に設けられた帳票抑えブロック４０の帳票抑え部材４３で、帳票２０の隅を抑える。
【００２１】
したがって本実施の形態によれば、図１に示すように、Ａ４サイズの帳票２０の４隅を抑えることができる。また紙抑えブロック４０，４０，４０，４０はガイドレーン３０，３０上を移動可能なので、帳簿２０の浮き状態に応じて抑える個所を変え、平らにした状態で抑えることができる。
【００２２】
次に、図５に図２の帳票抑え装置の第２の実施の形態の拡大正面図、図６は図５の帳票抑えブロック４０の平面図を示す。図５，図６において、図３，図４と同一個所には同一符号を付した。図５，図６は図３，図４に対してバネ４４が付加されている。バネ４４は、その一端がガイド４１の右端に固定され、その一端から少し内側の一端部で左側に折り曲げられ、軸４２の中央で時計方向に数回巻回され、その他端部で外側に折り曲げられ、他端を帳票抑え部材４３の上面に当ててなり、したがってバネ４４により帳票抑え部材４３は帳票２０の隅への付勢力が与えられておる。
【００２３】
このことにより本実施の形態によれば、帳票２０の隅をより強く押すので帳票２０を平らにした状態でしっかり抑えることができる。
【００２４】
なお、帳票抑えブロック４０をガイドレーン３０上でしっかり固定するためには、ガイドレーン３０を鉄製とし、ガイド４１を磁性材にするとよい。
【００２５】
以上の第１の実施の形態および第２の実施の形態においては、図１の説明のところで記述したように、帳票２０，２０ａはＡ４サイズとＡ５サイズ対応の２通りであったが、Ｂ５サイズまたは縦方向のＡ５サイズにも対応させるため、左右のガイドレーン３０，３０の両後端間および両前端間に下方に突起した固定ガイドを設け、この固定ガイドをガイドレーン３０，３０の間に配置したサブガイドレーンに設けた穴または溝に挿入し、ガイドレーン３０，３０のうち例えば右側のガイドレーン３０を左側のガイドレーン３０に向けて移動させるようにしてもよい。
【００２６】
図７に帳票抑え装置の第３の実施の形態の拡大平面図を示す。図７は、帳票抑え装置のうち、図１に示すＡ４サイズの帳票２０の４隅の各々に位置する４個の帳票抑えブロック４０，４０，４０，４０の拡大平面図を示す。
【００２７】
本実施の形態において、左側の２個の帳票抑えブロック４０，４０の帳票抑え部材４３，４３の内部に紐の自動巻きリール４５，４５が設けられ、紐の自動巻きリール４５から紐５０が引っ張られ、右側の２個の帳票抑えブロック４０，４０の端部に設けられたフック部４６，４６に引掛けて止められている。
【００２８】
本実施の形態によれば、帳票の前端部および後端部における、帳票の折り目と、帳票抑えブロックで抑えた部分の間に発生する帳票の浮き上がりを抑えることができる。
【００２９】
図８に帳票抑え装置の第４の実施の形態の拡大平面図を示す。図８は図７と同様、帳票抑え装置のうち、図１に示すＡ４サイズの帳票２０の４隅の各々に位置する４個の帳票抑えブロック４０，４０，４０，４０の拡大平面図を示す。
【００３０】
本実施の形態においては、４個の帳票抑えブロック４０，４０，４０，４０の内部に紐の自動巻きリール４５，４５，４５，４５が設けられ、また端部にフック部４６，４６，４６，４６が設けられ、図７で説明した紐５０を、左右両側部において前後方向にも紐が張られている。
【００３１】
本実施の形態によれば、帳票の前端部および後端部だけでなく、左右両側部において前後方向を抑えることができるので、帳票の横折りまたは４つ折りによる、帳票抑えブロックでは抑えきれない部分の浮き上がりを防ぎ、したがって歪みのない記載内容の画像を読取ることが可能となる。
【００３２】
また、以上の本発明の実施の形態は、光学読取装置で説明したが、なにもこれに限らず、机上などにおける紙抑え用としての紙抑え装置にも適用できる。
【００３３】
【発明の効果】
本発明によれば、紙の記載内容部分を覆わないで紙を抑え且つ紙のサイズや紙の浮き状態に応じて抑えの個所を移動可能な紙抑え装置を得ることができる。
【図面の簡単な説明】
【図１】本発明の実施の形態としての光学読取装置における帳票載置台の平面図である。
【図２】図１の正面で光学読取装置の全体構成を示す図である。
【図３】図２の帳票抑え装置の第１の実施の形態の拡大正面図である。
【図４】図３の帳票抑えブロックの平面図である。
【図５】図２の帳票抑え装置の第２の実施の形態の拡大正面図である。
【図６】図５の帳票抑えブロックの平面図である。
【図７】帳票抑え装置の第３の実施の形態の拡大平面図で、図１に示す４個の帳票抑えブロックを示す図である。
【図８】帳票抑え装置の第４の実施の形態の拡大平面図で、図１に示す４個の帳票抑えブロックを示す図である。
【符号の説明】
１０…光学読取装置、１１…帳票載置台、１２…台座、１３…支柱、１４…スキャナヘッド、１５…帳票位置決めガイド、１６…台座の設置個所、２０，２０ａ…帳票、３０…ガイドレーン、４０…帳票抑えブロック、４１…ガイド、４２…軸、４３…帳票抑え部材、４４…バネ、４５…紐の自動巻きリール、４６…フック部、５０…紐。
【図１】
0003675785.tif 000002
【図２】
0003675785.tif 000003
【図３】
0003675785.tif 000004
【図４】
0003675785.tif 000005
【図５】
0003675785.tif 000006
【図６】
0003675785.tif 000007
【図７】
0003675785.tif 000008
【図８】
0003675785.tif 000009